(57)【特許請求の範囲】
【請求項１】
電気装置に電力を供給する供給端子を有し、該供給端子を前記電気装置に圧接して電力を供給する電力供給装置であって、
筐体と、
該筐体との間に弾性部材が設けられ、該弾性部材の行う動作の方向と略同一の方向に摺動する摺動部材と、
該摺動部材に一端が接触して前記摺動部材により可動に保持されるとともに、他の一端が前記筐体に固定部分を軸として回動可能に固定され、前記供給端子を囲んで保護する保護部材と、を備え、
前記摺動部材は、前記保護部材から離れた位置で突出する第一突出部と、
前記保護部材に近い位置で突出する第二突出部と、を有し、
前記電気装置を前記筐体に装着した場合には、前記摺動部材が前記電気装置の前記筐体への装着により前記第一突出部を押されて摺動し、該摺動により前記保護部材が前記第二突出部の表面に沿って接触した状態で前記固定部分を軸として回動し、該回動により前記供給端子が前記保護部材から露出し、
前記電気装置を前記筐体から離脱させた場合には、前記摺動部材が前記電気装置の前記筐体への装着により生じた前記弾性部材の復元力により押されて摺動し、該摺動により前記保護部材が前記摺動部材に接触した状態で前記固定部分を軸として回動し、該回動により前記供給端子が前記保護部材に埋入する電力供給装置。
【請求項２】
前記電気装置の底部に凹部が形成され、該凹部に嵌合する嵌合部材が前記筐体に形成され、
前記嵌合部材は、前記第一突出部上に前記第一突出部よりも突出して配設され、
前記電気装置を前記筐体に装着した場合には、前記電気装置は、前記嵌合部に前記凹部を嵌合させて前記摺動部材を押すとともに、前記摺動部材を押した状態を維持することを特徴とする請求項１記載の電力供給装置。
【請求項３】
電気装置に電力を供給する供給端子を前記電気装置に圧接させて電力を供給させる電力供給方法であって、
前記電気装置を筐体に装着させる装着ステップと、
前記筐体に固定される固定部分を軸として回動自在に固定され、前記供給端子を囲んで保護する保護部材から前記供給端子を露出させる露出ステップと、
前記電気装置を前記筐体から離脱させる離脱ステップと、
前記保護部材に前記供給端子を埋入させる埋入ステップと、を備え、
前記装着ステップでは、前記電気装置の前記筐体への装着により、前記筐体との間に設けられる弾性部材の行う動作の方向と略同一の方向に摺動する摺動部材が、前記保護部材から離れた位置で突出する第一突出部を押されて摺動し、該摺動により前記保護部材が前記保護部材に近い位置で突出する第二突出部の表面に沿って摺動し、
前記露出ステップでは、前記摺動部材の摺動により前記保護部材が、前記摺動部材に接触した状態で前記摺動部材上を摺動して前記固定部分を軸として回動し、該回動により前記供給端子が前記保護部材から露出し、
前記離脱ステップでは、前記摺動部材が、前記電気装置の前記筐体への装着により押されて前記弾性部材の復元力により押されて摺動し、
前記埋入ステップでは、前記摺動部材の摺動により前記保護部材が、前記摺動部材に接触した状態で前記摺動部材上を摺動して前記固定部分を軸として回動し、該回動により前記供給端子が前記保護部材に埋入する電力供給方法。
【請求項４】
前記装着ステップでは、前記電気装置は、前記電気装置の底部に形成される凹部と前記筐体に設けられるとともに前記凹部に嵌合する嵌合部とが前記第一突出部よりも突出した状態で嵌合して前記摺動部材を押し、前記摺動部材を押した状態を維持することを特徴とする請求項３記載の電力供給方法。
【発明の詳細な説明】
【０００１】
【発明の属する技術分野】
本発明は、電力供給装置及び電力供給方法に関するものである。
【０００２】
【従来の技術】
従来、携帯電話は携帯電話用の電池パックから電力を供給されて駆動するが、携帯電話用の電池パックは、例えば卓上ホルダのような携帯電話用の卓上充電装置により充電されて電力を蓄積し、携帯電話本体に電力を供給する。携帯電話用の卓上充電装置は、携帯電話側の電池端子部と卓上充電装置側の卓上ホルダ端子部が接触することで通電し、電池パックに電力を供給して充電する。
【０００３】
携帯電話に装着する電池パックの卓上ホルダとして、例えば特開２００１−０４５１３２号公報に記載される携帯電話機用卓上ホルダなどが知られている。特開２００１−０４５１３２号公報における卓上ホルダでは、携帯電話の充電端子の表面と卓上ホルダの充電端子の表面に導電性物質を持たせ、携帯電話の充電端子と卓上ホルダの充電端子とを電気的導通させて充電させる。しかし、特開２００１−０４５１３２号公報における卓上ホルダの充電端子は外部に露出した状態であるため、卓上ホルダの充電端子に金属などが接触した際に発熱や充電端子のショートが引き起こす危険性がある。
【０００４】
【発明が解決しようとする課題】
このように、従来の電気装置に電力を供給する電力供給装置では、電気装置に電力を供給しない時に電気装置に電力を供給する供給端子が露出するために、供給端子が外部から保護されていないという問題点があった。
【０００５】
本発明は、このような問題点を解決するためになされたもので、電気装置に電力を供給しない時に供給端子を外部から保護することができる電力供給装置及び電力供給方法を提供することを目的とする。
【０００６】
【課題を解決するための手段】
本発明にかかる電力供給装置は、電気装置に電力を供給する供給端子を有し、該供給端子を前記電気装置に圧接して電力を供給する電力供給装置であって、筐体と、該筐体との間に弾性部材が設けられ、該弾性部材の行う動作の方向と略同一の方向に摺動する摺動部材と、該摺動部材に一端が接触して前記摺動部材により可動に保持されるとともに、他の一端が前記筐体に固定部分を軸として回動可能に固定され、前記供給端子を囲んで保護する保護部材と、を備え、前記摺動部材は、前記保護部材から離れた位置で突出する第一突出部と、前記保護部材に近い位置で突出する第二突出部と、を有し、前記電気装置を前記筐体に装着した場合には、前記摺動部材が前記電気装置の前記筐体への装着により前記第一突出部を押されて摺動し、該摺動により前記保護部材が前記第二突出部の表面に沿って接触した状態で前記固定部分を軸として回動し、該回動により前記供給端子が前記保護部材から露出し、前記電気装置を前記筐体から離脱させた場合には、前記摺動部材が前記電気装置の前記筐体への装着により生じた前記弾性部材の復元力により押されて摺動し、該摺動により前記保護部材が前記摺動部材に接触した状態で前記固定部分を軸として回動し、該回動により前記供給端子が前記保護部材に埋入するものである。このような構成により、保護部材を摺動部材上で摺動させることができ、電気装置に電力を供給しない時には、供給端子を保護手段により外部から保護することができる。
【０００８】
さらにまた、本発明にかかる電力供給装置は、前記電気装置の底部に凹部が形成され、該凹部に嵌合する嵌合部材が前記筐体に形成され、前記嵌合部材は、前記第一突出部上に前記第一突出部よりも突出して配設され、前記電気装置を前記筐体に装着した場合には、前記電気装置は、前記嵌合部に前記凹部を嵌合させて前記摺動部材を押すとともに、前記摺動部材を押した状態を維持するものである。これにより、電気装置を当該電力供給装置に安定した状態で装着させることができる。
【０００９】
本発明にかかる電力供給方法は、電気装置に電力を供給する供給端子を前記電気装置に圧接させて電力を供給させる電力供給方法であって、前記電気装置を筐体に装着させる装着ステップと、前記筐体に固定される固定部分を軸として回動自在に固定され、前記供給端子を囲んで保護する保護部材から前記供給端子を露出させる露出ステップと、前記電気装置を前記筐体から離脱させる離脱ステップと、前記保護部材に前記供給端子を埋入させる埋入ステップと、を備え、前記装着ステップでは、前記電気装置の前記筐体への装着により、前記筐体との間に設けられる弾性部材の行う動作の方向と略同一の方向に摺動する摺動部材が、前記保護部材から離れた位置で突出する第一突出部を押されて摺動し、該摺動により前記保護部材が前記保護部材に近い位置で突出する第二突出部の表面に沿って摺動し、前記露出ステップでは、前記摺動部材の摺動により前記保護部材が、前記摺動部材に接触した状態で前記摺動部材上を摺動して前記固定部分を軸として回動し、該回動により前記供給端子が前記保護部材から露出し、前記離脱ステップでは、前記摺動部材が、前記電気装置の前記筐体への装着により押されて前記弾性部材の復元力により押されて摺動し、前記埋入ステップでは、前記摺動部材の摺動により前記保護部材が、前記摺動部材に接触した状態で前記摺動部材上を摺動して前記固定部分を軸として回動し、該回動により前記供給端子が前記保護部材に埋入するものである。このような方法により、保護部材を摺動部材上で摺動させることができ、電気装置に電力を供給しない時には、供給端子を保護手段により外部から保護することができる。
【００１１】
さらにまた、本発明にかかる電力供給方法は、前記装着ステップでは、前記電気装置は、前記電気装置の底部に形成される凹部と前記筐体に設けられるとともに前記凹部に嵌合する嵌合部とが前記第一突出部よりも突出した状態で嵌合して前記摺動部材を押し、前記摺動部材を押した状態を維持するものである。これにより、電気装置を当該電力供給装置に安定した状態で装着させることができる。
【００１２】
【発明の実施の形態】
以下、本発明の実施の形態について図を参照しながら説明する。
【００１３】
なお、本発明の実施の形態においては、電気装置を携帯用装置である携帯電話とし、携帯電話の蓄電池を充電する充電装置を用いて電力供給装置について説明するが、例えば、携帯用のドライヤーや携帯用の髭剃りなどの電気装置を充電する充電装置をはじめとして、携帯用端末のような情報端末を充電する充電装置にも適用することができる。
【００１４】
まず、本実施形態における電力供給装置である充電装置の一構成例について説明する。図１は携帯電話の一形態例を示す概略正面図であり、図２は充電装置の一形態例を示す概略斜視図である。図２（ａ）は、携帯電話と充電装置とが離脱した状態を示す概略斜視図であり、図２（ｂ）は携帯電話が充電装置に装着された状態を示す概略斜視図である。携帯電話１１は、図１及び図２においては折り畳むことができて携帯電話１１を開いて通話を行う折り畳み式携帯電話である。携帯電話１１は、一般的な携帯用電話であれば良く、折り畳むことができず折り畳むことなく通話を行う略直線上のストレート式携帯電話であっても良い。
図１に示すように、携帯電話１１は、充電装置２１から電力を供給されて電力を蓄積する充電電池１２を有する。充電電池１２は、電力を蓄積することができる充電電池であれば良く、例えば、ニッケル水素電池、ニカド電池、リチウムイオン充電池のような一般的な充電電池である。
図２に示すように、携帯電話１１には、充電電池１２に電力を供給する充電装置２１の充電装置端子２２と接触して電力を供給される携帯電話端子１３が形成される。携帯電話端子１３は、アルミニウムや銅などの導電性材料から構成される。携帯電話端子１３は充電電池１２の裏面側に設けられ、図１（ｂ）に示すように携帯電話１１が充電装置２１に装着されたときに充電装置２１の充電装置端子２２に圧接されて充電装置端子２２から電力を供給される。また、充電装置２１から充電電池１２に対して電力を供給して充電する際、携帯電話端子１３と充電装置端子２２とが接触すると充電装置端子２２からは自動で電力が供給されようにしても良いし、携帯電話端子１３に充電装置端子２２を接触させた後に手動で電力が供給されるようにしても良い。携帯電話１１は、充電電池１２の充電が完了すると例えば発光部の色が変化して充電の完了を伝達するようにしても良い。
図１に示すように、充電電池１２の裏面側には、後述するように充電装置２１に携帯電話１１を固定するための嵌合部材２４が嵌合する凹部１４が形成されており、携帯電話１１を充電装置２１に装着した際には凹部１４に嵌合部材２４がはまり、携帯電話１１は充電装置２１に固定されるとともに電力を供給される状態を維持する。なお、図２（ｂ）に示すように、充電装置２１に携帯電話１１を装着する際には携帯電話１１を開いた状態で装着させても良いし、後述の図３（ｂ）に示すように折り畳んだ状態で充電装置２１に装着させても良い。また、携帯電話１１の充電電池１２を充電する際の携帯電話１１の充電装置２１に対する状態によって、充電電池１２に裏面側に形成される充電装置端子２２の設置箇所や凹部１４の形成箇所を決められる。
【００１５】
図２（ａ）に示すように、充電装置２１は、充電電池１２の携帯電話端子１３と接触して充電電池１２を充電する充電装置端子２２と、充電装置端子２２を覆って端子を保護する端子保護部材２３とを有する。さらに、充電装置２１は、後述するように端子保護部材２３を動作させ、充電電池１２の裏面に形成される凹部１４に嵌合する嵌合部材２４と、携帯電話１１の装着により筐体２６の内部へと押し込まれたり筐体２６との間に設けられる弾性部材２７によって筐体２６の表面に押し出されたりして摺動する摺動部材２５とを有する。
充電装置端子２２は、携帯電話端子１３と同様に、アルミニウムや銅などの導電性材料から構成される。充電装置端子２２は、筐体２６に形成され、前述のように充電電池１２の携帯電話端子１３に接触するように筐体２６の表面に突設されている。充電装置端子２２の一端が筐体２６から突設するのに対して、他の一端は、電源から電力を供給される電気プラグが形成される電気線に接続され、電気プラグを電源に接続することにより、電気線を通して充電装置端子２２から充電電池１２に電力が供給される。
図２（ａ）に示すように、端子保護部材２３は、充電装置端子２２を覆って設けられるが、後述するように端子保護部材２３の回動により充電装置端子２２が露出したり埋入したりするような構造を有する。端子保護部材２３の構造は、例えば、図２（ａ）においては充電装置端子２２を露出・埋入させる開口部を端子保護部材２３に形成した構造である。また例えば、端子保護部材２３の構造は、充電装置端子２２を埋入した状態の時には閉じており、端子保護部材２３を露出するときには開く開閉窓を端子保護部材２３に形成した構造でも良い。端子保護部材２３は、一端を筐体２６に固定されており、筐体２６に固定される部分を軸として回転動作を行うことができるように固定されている。このような端子保護部材２３の回転動作により、端子保護部材２３は充電装置端子２２を露出・埋入させる。端子保護部材２３の他の一端は、後述するように摺動部材２５の係合部２８の突出する部分に可動な状態で保持されている。
【００１６】
図３は携帯電話の充電装置への装着を示すＡＡ′面における概略断面図である。図３（ａ）は携帯電話を充電装置に装着していない状態を示す概略断面図であり、図３（ｂ）は携帯電話を充電装置に装着した状態を示す概略断面図である。図２（ａ）及び図３に示すように、筐体２６には嵌合部材２４が形成されている。嵌合部材２４は、携帯電話１１を充電装置２１に装着したとき、充電電池１２の裏面に形成される凹部１４に嵌合して携帯電話１１を充電装置２１に固定させる。携帯電話１１を充電装置２１に装着すると、携帯電話１１の裏面側に形成される凹部１４は嵌合部材２４にはまる。そして、それと同時に、携帯電話１１の凹部１４の下側側面が摺動部材２５と接し、摺動部材２５を図３中の右方向へ押し込む。
図３においては、嵌合部材２４は、携帯電話１１を充電装置２１に装着したときに嵌合部材２４と凹部１４とがはまった状態を維持し、摺動部材２５により携帯電話１１が押し出されるのを回避するため、摺動部材２５に比べて突出して設けられている。
摺動部材２５は、図３中の左右方向に摺動することができるように筐体２６に形成され、携帯電話１１を充電装置２１に装着した際に、携帯電話１１の側面が接するように、その上端部が筐体２６から突出している。そして、摺動部材２５の下方部は筐体２６から突出する突出部が設けられている。このため、摺動部材２５の中央部には凹みが形成される。この凹みは端子保護部材２３と係合する係合部２８を構成する。図３（ａ）に示されるように、携帯電話１１を装着する前の段階では、端子保護部材２３の一端は係合部２８の下側に位置する突出部の上面に接触している。このとき、端子保護部材２３の一端は、係合部２８の下側の突出部によって上方向に保護される。図３（ｂ）に示されるように、携帯電話１１を装着すると、上述のように摺動部材２５は、図３において右方向に移動する。このとき、端子保護部材２３の一端は、係合部２８の下側に位置する突出部の上面で摺動する。
図３に示すように、摺動部材２５が形成される筐体２６の中空部には、摺動部材２５に弾性力を伝達する弾性部材２７が設けられている。弾性部材２７は、摺動部材２５と筐体２６とに狭持され、両端を摺動部材２５と筐体２６とに固定されている。また、弾性部材２７は、図３においては筐体２６の底部に略平行となるように設けられている。そのため、摺動部材２５は、弾性部材２７により筐体２６から押し出される際に、筐体２６の底部に略平行に移動する。
携帯電話１１により摺動部材２５が押下されると、摺動部材２５は筐体２６を摺動して弾性部材２７を押し込め、弾性部材２７は弾性力を発生させる。このとき、図３に示すように、摺動部材２５を嵌合部材２４に比べて突出させて設けることにより、弾性部材２７により摺動部材２５が押し返されて摺動部材２５が携帯電話１１を押し返して携帯電話１１が充電装置２１から離脱することを防ぎ、携帯電話の凹部１４と嵌合部材２４とを安定して嵌合させて携帯電話１１を充電装置２１に確実に装着させることができる。
【００１７】
次に、充電装置に携帯電話を装着した際の充電装置の動作について説明する。図３（ａ）に示すように、携帯電話１１が充電装置２１に装着されていないとき、端子保護部材２３は充電装置端子２２の周辺を囲み、充電装置端子２２を覆うようにして保護している。このとき、端子保護部材２３の一端は、摺動部材２５の係合部２８上に静止している。端子保護部材２３の他端は、充電装置２１において携帯電話１１を装着する底部に回動自在に設けられている。摺動部材２５に連結する弾性部材２７は、摺動部材２５に対して、摺動部材２５が筐体２６から突出する方向（図３中左方向）に付勢されている。筐体２６には、摺動部材２５が必要以上に筐体２６から突出することがないように位置を規制するガイド（図示せず）が設けられている。
【００１８】
図３（ｂ）に示すように、携帯電話１１に充電装置２１を装着すると、嵌合部材２４は携帯電話１１の裏面側に形成される凹部１４にはまって、携帯電話１１を充電装置２１に固定する。このとき、携帯電話１１は嵌合部材２４と凹部１４とによって固定されるとともに、摺動部材２５を図３中右方向に押し込む。摺動部材２５は、図３中上側に突出する突出部を携帯電話１１により押し込まれ、この突出部に比べて突出する嵌合部材２４が凹部１４にはまる。携帯電話１１により筐体２６の内部側に押し込まれた摺動部材２５は、連結する弾性部材２７を押し込み、弾性部材２７は例えばばねのごとき弾性部材の場合にはばねが縮められ、弾性エネルギーを持つこととなる。
摺動部材２５が筐体２６の内部側に押し込められると、摺動部材２５に形成される係合部２８の図３中下側に突出する突出部の上面に接触している端子保護部材２３は、係合部２８の表面に沿って摺動する。例えば図３においては、係合部２８の形状を携帯電話１１が充電装置２１に装着されていないときに係合部２８の表面に端子保護部材２３に沿うような形状とすることができ、端子保護部材２３は係合部２８の表面に沿って端子保護部材２３と摺動部材２５の突出部とが接触した状態で摺動する。この場合、摺動部材２５が筐体２６の内部側に摺動すると、係合部２８の表面を図３中で左下方向にずれる。このとき、端子保護部材２３は、筐体２６に略直線状に固定されているため、固定される固定部分を軸として回転するようにずれ、図３（ｂ）中の矢印方向（時計回りの方向）へと回動する。
このように端子保護部材２３が摺動部材２５の係合部２８表面を摺動するとともに筐体２６の固定部分を軸として回動すると、端子保護部材２３に覆われて保護される充電装置端子２２は端子保護部材２３から露出する。端子保護部材２３から露出した充電装置端子２２は、携帯電話１１の充電電池１２の裏面に形成される携帯電話端子１３に接触し、充電電池１２に対して電力を供給する。
【００１９】
図４を用いて携帯電話の装着時における充電装置端子の露出状態について説明する。図４は携帯電話の充電装置への装着を示すＡＡ′面における概略断面図である。図４（ａ）は携帯電話を充電装置に装着していない状態を示す概略断面図であり、図４（ｂ）は携帯電話を充電装置に装着した状態を示す概略断面図である。図４（ａ）に示すような携帯電話１１を充電装置２１に装着する前の状態から、携帯電話１１を充電装置２１に装着して図４（ａ）に示すような矢印方向（時計回りの方向）に端子保護部材２３が回動する。そして、図４（ｂ）に示すように、端子保護部材２３は係合部２８の表面を摺動し、ばねのような弾性部材２７は図４中右方向に押し込まれる。このとき、携帯電話１１を装着する前（図４（ａ））と携帯電話１１を装着した時（図４（ｂ））では、端子保護部材２３の一端は移動量Ｌだけ図４中下方向に移動している。
移動量Ｌだけ端子保護部材２３が移動することにより、充電装置端子２２が露出し、携帯電話１１の携帯電話端子１３と接触することができるようになる。端子保護部材２３の一端が移動する移動量Ｌは、端子保護部材２３が係合部２８上を摺動するため、係合部２８上を摺動する摺動量に依存する。そして、係合部２８上を端子保護部材２３が摺動する摺動量は、係合部２８と端子保護部材２３とが接触する係合部２８の摺動方向に対する幅に依存し、さらに端子保護部材２３が摺動する方向に対する摺動量は、摺動部材２５に形成される係合部２８の形状に依存する。また端子保護部材２３の一端は筐体２６に略直線状に固定されるため、係合部２８の形状を変化させることにより移動量Ｌを変更させることができる。
例えば、係合部２８の形状を変化させて係合部２８の弾性部材２７の方向に対する深さを大きくした場合、端子保護部材２３をより深く係合部２８に係合させることができ、摺動部材２５をより大きく図４中右方向に移動させることにより、移動量Ｌを大きくして充電装置端子２２の露出する部分を増加させることができる。また例えば、係合部２８の形状を変化させて係合部２８の弾性部材２７の方向に対する深さを小さくした場合、端子保護部材２３をより浅く係合部２８に係合させることができ、摺動部材２５をより小さく図４中右方向に移動させることにより、移動量Ｌを小さく充電装置端子２２の露出する部分を減少させることができる。
【００２０】
このように、携帯電話１１を充電装置２１に装着させることにより、装着時に携帯電話１１の凹部１４に嵌合部材２４を嵌合させるとともに、摺動部材２５を自動で摺動させ、摺動部材２５の係合部２８に引っ掛かるように係合する端子保護部材２３を筐体２６に固定される固定部分を軸として回動させることができ、端子保護部材２３の回動によって充電装置端子２２を端子保護部材２３から自動で露出させることができる。そのため、携帯電話１１を充電装置２１に装着しないときは端子保護部材２３により充電装置端子２２を保護し、携帯電話１１を充電装置２１に装着した時には端子保護部材２３から充電装置端子２２を自動で露出し、充電電池１２の裏面側に形成される携帯電話端子１３に充電装置端子２２を接続させることができる。
【００２１】
図３（ｂ）及び図４（ｂ）に示すように、携帯電話１１が充電装置２１に装着されて充電電池１２の充電が完了すると、携帯電話１１を充電装置２１から離脱させる。前述のように、携帯電話１１が充電装置２１に装着された状態においては、摺動部材２５が嵌合部材２４により図３中右方向に押し込まれるため、摺動部材２５に連結された弾性部材２７は押し込まれる。例えば、弾性部材２７は、ばねのごとき弾性部材２７の場合にはばねが縮められ、弾性エネルギーを持つこととなる。そのため、携帯電話１１を充電装置２１から離脱させると、携帯電話１１の裏面側に形成される凹部１４から嵌合部材２４が離脱するとともに、携帯電話１１が摺動部材２５から離脱して弾性部材２７の弾性エネルギーにより摺動部材２５は図３中左方向に摺動する。このとき、筐体２６には、摺動部材２５が必要以上に筐体２６から突出することがないように位置を規制するガイド（図示せず）が設けられているため、ガイドにより弾性部材２７に連結する摺動部材２５は停止する。
摺動部材２５が図３中左方向に摺動して筐体２６の外部へと押し出されると、摺動部材２５に形成される係合部２８の図３中下側に突出する突出部の上面に接触している端子保護部材２３は、係合部２８の表面に沿って摺動する。例えば図３においては、係合部２８の形状を携帯電話１１が充電装置２１に装着されていないときに係合部２８の表面に端子保護部材２３に沿うような形状とすることができ、端子保護部材２３は係合部２８の表面に沿って端子保護部材２３と摺動部材２５の突出部とが接触した状態で摺動する。
携帯電話１１を充電装置２１から離脱させる場合、摺動部材２５が筐体２６の外部へと摺動すると、係合部２８の表面を図３中で右上方向にずれて摺動する。このとき、端子保護部材２３は、筐体２６に略直線状に固定されているため、固定される固定部分を軸として回転するようにずれ、図４（ａ）中の矢印方向と反対方向（反時計回りの方向）へと回動する。
端子保護部材２３が摺動部材２５の係合部２８表面を摺動するとともに筐体２６の固定部分を軸として回動すると、端子保護部材２３から露出して携帯電話端子１３に接続する充電装置端子２２は端子保護部材２３に埋入する。端子保護部材２３に埋入した充電装置端子２２は、端子保護部材２３により覆われて保護される。
【００２２】
このように、携帯電話１１を充電装置２１から離脱させる際、装着時に筐体２６と摺動部材２５との間に設けられる弾性部材２７が発生させる復元力により摺動部材２５を摺動させることができる。さらに、摺動部材２５の係合部２８には端子保護部材２３が引っ掛かるように係合しており、摺動部材２５の摺動により、端子保護部材２３を筐体２６に固定される固定部分を軸として自動で回動させることができ、端子保護部材２３の回動によって充電装置端子２２を端子保護部材２３に埋入させることができる。そのため、携帯電話１１を充電装置２１に装着して充電している間は充電装置端子２２を露出して充電電池１２を充電し、充電後には携帯電話１１を充電装置２１から離脱して端子保護部材２３に充電装置端子２２を自動で埋入させ、端子保護部材２３により充電装置端子２２を覆って保護することができる。
【００２３】
図５は、携帯電話の他の一形態例を用いて場合を示す概略断面図である。ここで、図５に示すように、携帯電話３１は、図１乃至図４における折り畳み式携帯電話と異なり、折り畳むことができず折り畳むことなく通話を行う略直線上のストレート式携帯電話である。携帯電話３１は、充電装置４１から電力を供給されて電力を蓄積する充電電池３２を有する。充電電池３２は、電力を蓄積することができる充電電池であれば良く、例えば、ニッケル水素電池、ニカド電池、リチウムイオン充電池のような一般的な充電電池である。
図５に示すように、携帯電話３１には、充電電池３２に電力を供給する充電装置４１の充電装置端子４２と接触して電力を供給される携帯電話端子３３が形成される。携帯電話端子３３は、アルミニウムや銅などの導電性材料から構成される。携帯電話端子３３は充電電池３２の裏面側に設けられ、図５に示すように携帯電話３１が充電装置４１に装着されたときに充電装置４１の充電装置端子４２に圧接されて充電装置端子４２から電力を供給される。また、充電装置４１から充電電池３２に対して電力を供給して充電する際、携帯電話端子３３と充電装置端子４２とが接触すると充電装置端子４２からは自動で電力が供給されようにしても良いし、携帯電話端子３３に充電装置端子４２を接触させた後に手動で電力が供給されるようにしても良い。携帯電話３１は、充電電池３２の充電が完了すると例えば発光部の色が変化して充電の完了を伝達するようにしても良い。
図１に示すように、充電電池３２の裏面側には、後述するように充電装置４１に携帯電話３１を固定するための嵌合部材４４が嵌合する凹部３４が形成されており、携帯電話３１を充電装置４１に装着した際には凹部３４に嵌合部材４４がはまり、携帯電話３１は充電装置４１に固定されるとともに電力を供給される状態を維持する。
なお、図１乃至図４に示す携帯電話３１においては携帯電話３１を開いた状態や折り畳んだ状態で充電装置２１に装着させるが、図５に示す携帯電話においては、携帯電話３１が略直線上のストレート式携帯電話であるため、携帯電話３１の底部を筐体２６に嵌め込んだ状態で充電する。またなお、携帯電話３１がストレート式携帯電話であり、携帯電話３１の底部を筐体４６に嵌め込んだ状態で充電するだけでなく、前述の折り畳み式携帯電話である携帯電話１１と同様に充電装置４１に寝かせた状態で充電しても良い。携帯電話３１の充電電池３２を充電する際の携帯電話３１の充電装置４１に対する状態によって、充電電池３２に裏面側に形成される充電装置端子４２の設置箇所や凹部３４の形成箇所を決められる。
【００２４】
図５に示すように、充電装置４１は、充電電池３２の携帯電話端子３３と接触して充電電池３２を充電する充電装置端子４２と、充電装置端子４２を覆って端子を保護する端子保護部材４３とを有する。さらに、充電装置４１は、後述するように端子保護部材４３を動作させ、充電電池３２の裏面に形成される凹部３４に嵌合する嵌合部材４４と、携帯電話３１の装着により筐体４６の内部へと押し込まれたり筐体４６との間に設けられる弾性部材４７によって筐体４６の表面に押し出されたりして摺動する摺動部材４５とを有する。
充電装置端子４２は、携帯電話端子３３と同様に、アルミニウムや銅などの導電性材料から構成される。充電装置端子４２は、筐体４６に形成され、前述のように充電電池３２の携帯電話端子３３に接触するように筐体４６の表面に突設されている。充電装置端子４２の一端が筐体４６から突設するのに対して、他の一端は、電源から電力を供給される電気プラグが形成される電気線に接続され、電気プラグを電源に接続することにより、電気線を通して充電装置端子４２から充電電池３２に電力が供給される。
図２（ａ）に示す端子保護部材２３と同様に、端子保護部材４３は、充電装置端子４２を覆って設けられるが、後述するように端子保護部材４３の回動により充電装置端子４２が露出したり埋入したりするような構造を有する。端子保護部材４３の構造は、例えば、充電装置端子４２を露出・埋入させる開口部を端子保護部材４３に形成した構造である。また例えば、端子保護部材４３の構造は、充電装置端子４２を埋入した状態の時には閉じており、端子保護部材４３を露出するときには開く開閉窓を端子保護部材４３に形成した構造でも良い。端子保護部材４３は、一端を筐体４６に固定されており、筐体４６に固定される部分を軸として回転動作を行うことができるように固定されている。このような端子保護部材４３の回転動作により、端子保護部材４３は充電装置端子４２を露出・埋入させる。端子保護部材４３の他の一端は、後述するように摺動部材４５の係合部４８の突出する部分に可動な状態で保持されている。
【００２５】
図５に示すように、筐体４６には嵌合部材４４が形成されている。嵌合部材４４は、携帯電話３１を充電装置４１に装着したとき、充電電池３２の裏面に形成される凹部３４に嵌合して携帯電話３１を充電装置４１に固定させる。携帯電話３１を充電装置４１に装着すると、携帯電話３１の裏面側に形成される凹部３４は嵌合部材４４にはまる。そして、それと同時に、携帯電話３１の凹部４４の下側側面が摺動部材４５と接し、摺動部材４５を図５中の右方向へ押し込む。
図５においては、嵌合部材４４は、携帯電話３１を充電装置４１に装着したときに嵌合部材４４と凹部３４とがはまった状態を維持し、摺動部材４５により携帯電話３１が押し出されるのを回避するため、摺動部材４５に比べて突出して設けられている。
摺動部材４５は、図５中の左右方向に摺動することができるように筐体４６に形成され、携帯電話３１を充電装置４１に装着した際に、携帯電話３１の側面が接するように、その上端部が筐体４６から突出している。そして、摺動部材４５の下方部は筐体４６から突出する突出部が設けられている。このため、摺動部材４５の中央部には凹みが形成される。この凹みは端子保護部材４３と係合する係合部４８を構成する。携帯電話３１を装着する前の段階では、端子保護部材４３の一端は係合部４８の下側に位置する突出部の上面に接触している。このとき、端子保護部材４３の一端は、係合部４８の下側の突出部によって上方向に保護される。携帯電話３１を装着すると、上述のように摺動部材４５は、図５において右方向に移動する。このとき、端子保護部材４３の一端は、係合部２８の下側に位置する突出部の上面で摺動する。
図５に示すように、摺動部材４５が形成される筐体４６の中空部には、摺動部材４５に弾性力を伝達する弾性部材４７が設けられている。弾性部材４７は、摺動部材４５と筐体４６とに狭持され、両端を摺動部材４５と筐体４６とに固定されている。また、弾性部材４７は、図５においては筐体４６の底部に略平行となるように設けられている。そのため、摺動部材４５は、弾性部材４７により筐体４６から押し出される際に、筐体４６の底部に略平行に移動する。
携帯電話３１により摺動部材４５が押下されると、摺動部材４５は筐体４６を摺動して弾性部材４７を押し込め、弾性部材４７は弾性力を発生させる。このとき、摺動部材４５を嵌合部材４４に比べて突出させて設けることにより、弾性部材４７により摺動部材４５が押し返されて摺動部材４５が携帯電話３１を押し返して携帯電話３１が充電装置４１から離脱することを防ぎ、携帯電話の凹部４４と嵌合部材４４とを安定して嵌合させて携帯電話３１を充電装置４１に確実に装着させることができる。
【００２６】
図５に示すように、携帯電話３１に充電装置４１を装着すると、嵌合部材４４は携帯電話３１の裏面側に形成される凹部３４にはまって、携帯電話３１を充電装置４１に固定する。このとき、携帯電話３１は嵌合部材４４と凹部３４とによって固定されるとともに、摺動部材４５を図５中右方向に押し込む。摺動部材４５は、図５中上側に突出する突出部を携帯電話３１により押し込まれ、この突出部に比べて突出する嵌合部材４４が凹部３４にはまる。携帯電話３１により筐体４６の内部側に押し込まれた摺動部材４５は、連結する弾性部材２７を押し込み、弾性部材４７は例えばばねのごとき弾性部材の場合にはばねが縮められ、弾性エネルギーを持つこととなる。
摺動部材４５が筐体４６の内部側に押し込められると、摺動部材４５に形成される係合部４８の図５中下側に突出する突出部の上面に接触している端子保護部材４３は、係合部４８の表面に沿って摺動する。例えば図５においては、係合部４８の形状を携帯電話３１が充電装置４１に装着されていないときに係合部４８の表面に端子保護部材４３に沿うような形状とすることができ、端子保護部材４３は係合部４８の表面に沿って端子保護部材４３と摺動部材４５の突出部とが接触した状態で摺動する。この場合、摺動部材４５が筐体４６の内部側に摺動すると、係合部４８の表面を図５中で左下方向にずれる。このとき、端子保護部材４３は、筐体４６に略直線状に固定されているため、固定される固定部分を軸として回転するようにずれて図５中で時計回りの方向へと回動する。
このように端子保護部材４３が摺動部材４５の係合部４８表面を摺動するとともに筐体４６の固定部分を軸として回動すると、端子保護部材４３に覆われて保護される充電装置端子４２は端子保護部材４３から露出する。端子保護部材４３から露出した充電装置端子４２は、携帯電話３１の充電電池３２の裏面に形成される携帯電話端子３３に接触し、充電電池３２に対して電力を供給する。
【００２７】
このように、携帯電話３１を充電装置４１に装着させることにより、装着時に携帯電話３１の凹部３４に嵌合部材４４を嵌合させるとともに、摺動部材４５を自動で摺動させ、摺動部材４５の係合部４８に引っ掛かるように係合する端子保護部材４３を筐体４６に固定される固定部分を軸として回動させることができ、端子保護部材４３の回動によって充電装置端子２２を端子保護部材４３から自動で露出させることができる。そのため、携帯電話３１を充電装置４１に装着しないときは端子保護部材４３により充電装置端子４２を保護し、携帯電話３１を充電装置４１に装着した時には端子保護部材４３から充電装置端子４２を自動で露出し、充電電池３２の裏面側に形成される携帯電話端子３３に充電装置端子４２を接続させることができる。
【００２８】
携帯電話３１が充電装置４１に装着されて充電電池３２の充電が完了すると、携帯電話３１を充電装置４１から離脱させる。前述のように、携帯電話３１が充電装置４１に装着された状態においては、摺動部材４５が嵌合部材４４により図５中右方向に押し込まれるため、摺動部材４５に連結された弾性部材４７は押し込まれ、弾性部材４７は例えばばねのごとき弾性部材４７の場合にはばねが縮められ、弾性エネルギーを持つこととなる。そのため、携帯電話３１を充電装置４１から離脱させると、携帯電話３１の裏面側に形成される凹部３４から嵌合部材４４が離脱するとともに、携帯電話３１が摺動部材４５から離脱して弾性部材４７の弾性エネルギーにより摺動部材４５は図５中左方向に摺動する。このとき、筐体４６には、摺動部材４５が必要以上に筐体４６から突出することがないように位置を規制するガイド（図示せず）が設けられているため、ガイドにより弾性部材４７に連結する摺動部材４５は停止する。
摺動部材４５が図５中左方向に摺動して筐体４６の外部へと押し出されると、摺動部材４５に形成される係合部４８の図５中下側に突出する突出部の上面に接触している端子保護部材４３は、係合部４８の表面に沿って摺動する。例えば図５においては、係合部４８の形状を携帯電話３１が充電装置４１に装着されていないときに係合部４８の表面に端子保護部材４３に沿うような形状とすることができ、端子保護部材４３は係合部４８の表面に沿って端子保護部材４３と摺動部材４５の突出部とが接触した状態で摺動する。
携帯電話３１を充電装置４１から離脱させる場合、摺動部材４５が筐体４６の外部へと摺動すると、係合部４８の表面を図５中で右上方向にずれて摺動する。このとき、端子保護部材４３は、筐体４６に略直線状に固定されているため、固定される固定部分を軸として回転するようにずれて図４（ａ）中で反時計回りの方向へと回動する。
端子保護部材４３が摺動部材４５の係合部４８表面を摺動するとともに筐体４６の固定部分を軸として回動すると、端子保護部材４３から露出して携帯電話端子３３に接続する充電装置端子４２は端子保護部材４３に埋入する。端子保護部材４３に埋入した充電装置端子４２は、端子保護部材４３により覆われて保護される。
【００２９】
このように、携帯電話３１を充電装置４１から離脱させる際、装着時に筐体４６と摺動部材４５との間に設けられる弾性部材４７が発生させる復元力により摺動部材４５を摺動させることができる。さらに、摺動部材４５の係合部４８には端子保護部材４３が引っ掛かるように係合しており、摺動部材４５の摺動により、端子保護部材４３を筐体４６に固定される固定部分を軸として自動で回動させることができ、端子保護部材４３の回動によって充電装置端子４２を端子保護部材４３に埋入させることができる。そのため、携帯電話３１を充電装置４１に装着して充電している間は充電装置端子４２を露出して充電電池３２を充電し、充電後には携帯電話３１を充電装置４１から離脱して端子保護部材４３に充電装置端子４２を自動で埋入させ、端子保護部材４３により充電装置端子４２を覆って保護することができる。
【００３０】
以上のように、携帯電話を充電装置に装着させる場合には、装着時に携帯電話の凹部に嵌合部材を嵌合させて携帯電話を充電装置に固定するとともに、携帯電話により摺動部材を筐体内部に押し込んで自動で摺動させ、摺動部材の摺動により端子保護部材を筐体に固定される固定部分を軸として回動させることができる。そのため、端子保護部材の回動によって充電装置端子を端子保護部材から露出させることができ、携帯電話の充電装置への装着前には端子保護部材により充電装置端子を保護するとともに、携帯電話の充電装置への装着時には端子保護部材から充電装置端子を自動で露出して充電電池の裏面側に形成される携帯電話端子に充電装置端子を接続させることができる。また、摺動部材を嵌合部材に比べて突出させて設けることにより、弾性部材により摺動部材が押し返されて摺動部材が携帯電話を押し返して携帯電話が充電装置から離脱することを防ぎ、携帯電話の凹部と嵌合部材とを安定して嵌合させて携帯電話を充電装置に確実に装着させることができる。
【００３１】
さらに、携帯電話を充電装置から離脱させる場合には、装着時に筐体と摺動部材との間に設けられる弾性部材が発生させる復元力により摺動部材を筐体外部に押し出して自動で摺動させることができ、摺動部材の摺動により端子保護部材を筐体に固定される固定部分を軸として回動させることができる。そのため、端子保護部材の回動によって充電装置端子を端子保護部材に埋入させることができ、携帯電話を充電装置に装着時には充電装置端子を露出して充電電池を充電し、充電後には携帯電話を充電装置から離脱して端子保護部材に充電装置端子を自動で埋入させて充電装置端子を端子保護部材により覆って保護することができる。
【００３２】
このように、携帯電話を充電しない時、つまり充電装置に携帯電話を装着しない時には、充電装置端子が端子保護部材により覆われて保護されるため、外部から導電性を有する部材が充電装置端子に電気的に接触してショートする危険性を低減させることができる。そのため、充電装置の誤動作を防止することができ、充電装置端子の老朽化を防ぐことができ、充電電池に形成される携帯電話端子との良好な接触を維持することができる。そして、充電装置が卓上充電装置である場合には、充電装置端子を端子保護部材により覆って充電装置の筐体表面に充電装置端子が露出しないため、充電装置のデザイン性を損なうことなく、充電装置と外部との概観の調和を保つことができる。
【００３３】
なお、本発明においては、電力を供給する充電装置などの電力供給装置について説明したが、例えば、メタノールなどを燃料とした燃料電池により駆動する携帯電話のような装置のように、電力以外の燃料を燃料電池に供給する燃料供給装置にも適用することができる。この場合、燃料供給装置の燃料供給口を自動で供給口保護部材から露出させて燃料を供給し、供給口保護部材に埋入させて燃料供給口を保護することができる。
【００３４】
【発明の効果】
本発明によれば、電気装置に電力を供給しない時に供給端子を外部から保護することができる電力供給装置及び電力供給方法を提供することができる。
【図面の簡単な説明】
【図１】本発明の実施の形態における携帯電話の一例を示す概略正面図である。
【図２】本発明の実施の形態における携帯電話及び充電装置の一例を示す概略斜視図であり、（ａ）は携帯電話と充電装置との離脱時の図であり、（ｂ）は携帯電話の充電装置への装着時の図である。
【図３】本発明の実施の形態における充電装置の概略断面図であり、（ａ）は携帯電話と充電装置との離脱時の図であり、（ｂ）は携帯電話の充電装置への装着時の図である。
【図４】本発明の実施の形態における充電装置の概略断面図であり、（ａ）は携帯電話と充電装置との離脱時の図であり、（ｂ）は携帯電話の充電装置への装着時の図である。
【図５】本発明の実施形態のける携帯電話及び充電装置の他の一例を示す概略断面図である。
【符号の説明】
１１，３１  携帯電話、  １２，３２  充電電池、  １３，３３  携帯電話端子、  １４，３４  凹部、  ２１，４１  充電装置、  ２２，４２  充電装置端子、  ２３，４３  端子保護部材、  ２４，４４  嵌合部材、  ２５，４５  摺動部材、  ２６，４６  筐体、  ２７，４７  弾性部材、  ２８，４８  係合部
【図１】
0003922098.tif 000002
【図２】
0003922098.tif 000003
【図３】
0003922098.tif 000004
【図４】
0003922098.tif 000005
【図５】
0003922098.tif 000006